(57)【特許請求の範囲】
【請求項１】
小便器本体に前面が開口した便器ボウルを設けた小便器において、
前記便器ボウルは、略垂直面状の内壁面の一部が前方を向くように、前記前面が開口しており、
前記便器ボウルの底面における前記内壁面の近傍部分に、下方に通じる細長形状の排水口が形成されており、
前記排水口に着脱自在の目皿をさらに有した構成とされており、
前記小便器本体は、前記底面を上端面とした底部を備えた構成とされ、前記排水口が前記底部の内部に形成された縦排水通路に通じており、
前記目皿は、その一方の長手辺縁が前記排水口の長手方向の開口縁に固定され、他方の長手辺縁が前記縦排水通路内でかつ前記一方の辺縁よりも低い位置に固定されることを特徴とする小便器。
【請求項２】
請求項１において、
前記縦排水通路の横断面は前記排水口側よりも下方側が大きくなっている、小便器。
【請求項３】
請求項１または２において、
前記縦排水通路の下流側に排水トラップが設けられている、小便器。
【請求項４】
請求項１〜３のいずれか１項において、
前記目皿は遠隔操作にて上下に動作するようになっており、
前記小便器本体には、前記目皿を動作させる操作部および動作機構が組みつけられている、小便器。
【発明の詳細な説明】
【技術分野】
【０００１】
本発明は小便器に関する。
【背景技術】
【０００２】
従来の小便器は一般に、特許文献１などに開示されているように、排水口が便器ボウルの底面の中央部に設けられている。この排水口は略円形や略矩形などの形状であり、通例では排水口と略同形状の目皿が設けてある。
【先行技術文献】
【特許文献】
【０００３】
【特許文献１】特開平７−２０７７４０号公報
【発明の概要】
【発明が解決しようとする課題】
【０００４】
しかしながら、排水口は排水量を確保するために概ね大きく形成されており、表面が比較的シンプルな目皿を取り付けたとしても、その輪郭形状が視認しやすいため、すっきりとした美観とは言いがたいものとなっている。また、便器ボウルの底面は、その中央部に排水口による凹み、段差があるため清掃がしにくい。
【０００５】
本発明は、このような事情を考慮して提案されたもので、その目的は、すっきりとした美観を表出でき、かつ、排水口が形成された底面を容易に清掃できる小便器を提供することにある。
【課題を解決するための手段】
【０００６】
上記目的を達成するために、本発明の小便器は、小便器本体に前面が開口した便器ボウルを設けた小便器において、便器ボウルは、略垂直面状の内壁面の一部が前方を向くように、前面が開口しており、便器ボウルの底面における内壁面の近傍部分に、下方に通じる細長形状の排水口が形成されており、排水口に着脱自在の目皿をさらに有した構成とされており、小便器本体は、底面を上端面とした底部を備えた構成とされ、排水口が底部の内部に形成された縦排水通路に通じており、目皿は、その一方の長手辺縁が排水口の長手方向の開口縁に固定され、他方の長手辺縁が縦排水通路内でかつ一方の辺縁よりも低い位置に固定されることを特徴とする。
【発明の効果】
【０００７】
本発明の小便器によれば、上述した構成となっているため、すっきりとした美観を表出でき、また便器ボウルの底面の中央部には排出口を必要とせず、中央部を段差や凹みなどのない平面または湾曲面とすることができるから、清掃もしやすくなる。
【図面の簡単な説明】
【０００８】
【図１】本発明の一実施形態（第１実施形態）に係る小便器の説明図である。（ａ）は小便器の斜視図、（ｂ）は小便器の便器ボウルの底面の平面図である。
【図２】（ａ）は小便器の正面図、（ｂ）は同平面図、（ｃ）は（ａ）のＡ−Ａ線断面図（横断面図）である。
【図３】（ａ）は図２（ｂ）のＢ−Ｂ線に対応した小便器の部分拡大概略断面図、（ｂ）は小便器の目皿の動作例を示した同部分拡大概略断面図である。
【図４】本発明の他の実施形態（第２実施形態）に係る小便器の説明図である。（ａ）は小便器の便器ボウルの底面の平面図、（ｂ）は（ａ）のＣ−Ｃ線に対応した同部分拡大概略断面図、（ｃ）は小便器の目皿の動作例を示した同部分拡大概略断面図である。
【図５】本発明のさらに他の実施形態（第３実施形態）に係る小便器の説明図である。（ａ）はの便器ボウルの底面の平面図、（ｂ）は（ａ）のＤ−Ｄ線に対応した同部分拡大概略断面図、（ｃ）は小便器の目皿の動作例を示した同部分拡大概略断面図である。
【図６】本発明の小便器のさらに他の実施形態（その他の実施形態）の３例を示す図である。（ａ）は便器ボウルの底面の平面図、（ｂ）は便器ボウルの底面の平面図および部分拡大縦断面図、（ｃ）は便器ボウルの部分拡大斜視図である。
【発明を実施するための形態】
【０００９】
以下に、本発明の実施の形態について、添付図面にもとづいて説明する。
まず、本明細書に挙げた複数の実施形態に係る小便器に共通の概略基本構成について説明する。
【００１０】
第１実施形態に係る小便器を図１〜図３に示し、第２実施形態に係る小便器を図４に示し、第３実施形態に係る小便器を図５に示し、その他の実施形態（３例）に係る小便器を図６に示した。第２、第３およびその他の実施形態に係る各小便器の外観は、いずれも図１（ａ）で斜視図に示したものと同様であるため、それらの外観図の図示は省略した。また、図３（ａ）（ｂ）、図４（ｂ）（ｃ）および図５（ｂ）（ｃ）はいずれも断面図であるが、概略的、模式的に端面を図示したものであり、ハッチングの付記を省略した。なお、以下の実施形態に係る小便器の説明では、小便器本体１０の開口側を前と規定し、背面側を後ろと規定している。
【００１１】
これらの小便器は、小便器本体１０に前面が開口した便器ボウル２０を設けた男子小用の便器である。その便器ボウル２０の底面２１（内底面）における壁面２２（内壁面）の近傍部分には、下方に通じる細長形状の排水口３０が形成されている（図１〜図６参照）。ここで、排水口３０の細長形状は、以下の実施形態の各例のように、概ね底面２１の外周縁２１ｂに沿って細長いスリット形状とすることが望ましい。ようするに、排水口３０は底面２１の中心部（中央部）に及ばないような細長形状とすることが望ましい。
【００１２】
このように、これらの小便器では、排水口３０は底面２１の中央部には形成されておらず、底面２１における壁面２２の近傍部分に細長形状のものが形成されている。そのため、小便器の便器ボウル２０面をすっきりとしたデザイン性のある美観とすることができる。また、底面２１の中央部には排水口が形成されておらず、中央部が段差や凹みなどのない平面または湾曲面となっているため、清掃がしやすい。
【００１３】
この便器ボウル２０の底面２１は、その外周縁２１ｂより起立した壁部（後述する背面部１１、側壁部１４、前壁部１５）の壁面２２に連続しているが、その入り隅部分は尿や洗浄水（以下、水等という）を流しやすくするために湾曲面をなしている。本排水口３０は、その湾曲面状の入り隅部分を含む底面２１の外周部２１ａにおけるいずれかの部位に形成されている。もちろん、水の流れを考慮すれば、排水口３０が底面２１における最下位置に配されていることは言うまでもない。
【００１４】
ついで、図１〜図３に図示した第１実施形態に係る小便器の詳細について説明する。
【００１５】
図１および図２に示すように、小便器本体１０は背面部１１、上面部１２、底部１３、側壁部１４、前壁部１５を有しており、それらにより便器ボウル２０が形成されている。つまり便器ボウル２０は、図１（ａ）に示したように、前面が開口し、連続した内面（壁面２２、底面２１）を有する凹所を備えている。なお、便器ボウル２０における背面部１１側の壁面２２の上部には、洗浄水を吐出する洗浄ノズル１７が設けてある。
【００１６】
底部１３の上端面である便器ボウル２０の底面２１は、その全外周縁２１ｂが壁面２２につながっている。図１（ａ）、図２（ａ）に示すように、この底面２１は前壁部１５の上端よりも低い位置にあり、正面からは視認され得ない。
【００１７】
便器ボウル２０の底面２１は、図２（ｃ）の横断面図および図１（ｂ）に示すように、輪郭は略三角形の湾曲形状とされ、前方に向けて細まった形状となっている。底面２１の外周部２１ａにおける後部には、概ね外周縁２１ｂに沿って横に長いスリット形状の排水口３０が形成されている。図２（ｃ）に示した排水口３０は壁面２２に接するように設けられている。底面２１と壁面２２とは湾曲面をなした入り隅２３（図６（ｃ）に例示）を介して連続している。排出口３０は、底面２１から入り隅２３を介して壁面２２に及ぶような開口であってもよい。
【００１８】
また、排水口３０は外周縁２１ｂに接するように形成されなくてもよく、図１（ｂ）の２点鎖線で示すように、外周部２１ａのうちの、外周縁２１ｂから少し離れた部位に形成されたものであってもよい。
【００１９】
便器ボウル２０の底面２１は、前部から排水口３０に向けて降下傾斜しており、水等は図１（ｂ）および図３（ａ）の破線矢印で示すように流れる。すなわち、直接底面２１に、あるいは壁面２２を伝って底面２１に落ちた水等のほとんどが排水口３０に向けて流れるようになっている。
【００２０】
また、上述したように、小便器本体１０は底面２１を上端面とした底部１３を備えている。排水口３０は、図３（ａ）に示すように底部１３の内部空間に形成された縦排水通路３１に通じている。縦排水通路３１は水等を上から下へ流す排水路であり、その排水路内の前後の寸法は排水口３０の寸法よりも十分に大きい。つまり、縦排水通路３１の横断面は排水口３０側よりも下方側が大きい。また、縦排水通路３１の奥側の通路面は便器ボウル２０の背面部１１側の壁面２２から下方に段差なく連なるように形成されている。
【００２１】
この縦排水通路３１の下流側（下方）には、Ｕ字状の排水トラップ３２が形成されている。排水口３０から水等が流下する際には、縦排水通路３１を通った水等は排水トラップ３２を経由して、外部の排水路３７へと流れる。また、水等が排水口３０に流れない状態では、排水トラップ３２に水等が溜まった状態が維持される。この溜め水により外部の排水路３７から逆流する臭気が遮断される。なお、排水の際に尿が排水トラップ３２に残らないように、排水トラップ３２の溜め水の容量は１回の洗浄により外部へ流れる程度とすることが望ましい。
【００２２】
このように、本小便器は便器ボウル２０の底面２１の後ろ側に横（左右）方向に細長い排水口３０が設けてある構成であるが、底面２１の中央部の下方には底部１３の中央部を利用した大きめの排水通路空間（溜め水空間）が形成されている。このような構成であるため、大量の洗浄水を流した場合でもスリット状の排水口３０から水が溢れるおそれはない。また、底部１３内空間の中央部を用いて十分な容量の溜め水部（排水トラップ３２）が形成されているため、臭気の逆流を阻止することもできる。
【００２３】
なお、排水口３０の形状に合わせて前後方向の寸法の小さい薄型の縦排水通路３１を設けてもよい。そうすれば、それに合わせて底部１３を薄く（前後寸法を小さく）することができ、全体として薄型の小便器を形成することができる。
【００２４】
また、排水口３０には、その細長形状の長手方向の全長に概ね合致した目皿３３（目皿３３の平面図は不図示）が着脱自在に取り付けられている。図３（ａ）に示すように、この目皿３３は、その一方の長手辺縁（幅方向の一方の端部側の辺縁）が排水口３０の長手方向の開口縁３０ａに固定されている。また、目皿３３の他方の長手辺縁は縦排水通路３１内でかつ一方の長手辺縁よりも低い位置に固定されている。
【００２５】
ようするにこの小便器では、図３（ａ）に示すように、目皿３３は後ろ側に降下傾斜するように取り付けられている。なお、目皿３３の排水口３０への固定の手段は特に問わず、引っ掛けたり載せ置いたりする程度でもよい。もちろん、少なくとも洗浄水の流れで外れないものとすることが望ましい。
【００２６】
このように目皿３３を傾斜させて取り付けるようになっているため、スリット状の排水口３０であっても大きめの目皿３３を配することができる。そのため、ゴミのせき止め能力を十分に確保することができる。また、目皿３３を図３の例のように後ろ側に降下傾斜させて取り付ければ、小用立ち位置の人からもほとんど見えず見栄えがよいが、前側に降下傾斜するように目皿３３を配してもよい。
【００２７】
また、この目皿３３は、図３（ｂ）に示したように、遠隔操作にて上下に動作するようになっている。すなわち、小便器本体１０には、目皿３３を動作させるための操作部３４および動作機構３５が組みつけられている。操作部３３は上面部１２などに設けてあり、ワイヤ３５ａを含む動作機構３５を介して、目皿３３に連結されている。
【００２８】
なお本例のものはいわゆるポップアップ式のものであり、操作部３４の押し下げで目皿３３が上方に移動して排水口３０が開放状態となり、操作部３４の引き上げで目皿３３が下方の元の位置に移動して目皿３３として作用する状態となる。目皿３３の上下動作は押し／引き操作によるものに限られず、押し操作のみの連続操作で目皿３３の上下動作が交互に繰り返される、いわゆるプッシュ式のものであってもよい。また、動作機構としては、操作部の操作でリンク材を可動させてカバーを上下動作させるリンク式を採用してもよいし、電動式、油圧式などの機構を採用してもよい。
【００２９】
このように目皿３３が遠隔操作で上下に動作するので、清掃の際には目皿３３を上方に移動させて楽に取り外しできる。また、目皿３３を上方に大きく持ち上げるようにすれば、目皿３３を取り外すことなく排水口３０近傍を清掃することができる。つまり、目皿３３を取り外しできないものとしてもよい。
【００３０】
つぎに、図４を参照して第２実施形態に係る小便器について説明する。
【００３１】
この小便器は、排水口３０が便器ボウル２０の底面２１の外周部２１ａにおける前部に形成されている。水等は図４（ａ）（ｂ）に破線矢印で示すように排水口３０に向けて流れる。図４（ａ）に示した排水口３０は外周縁２１ｂに接するように形成されているが、外周部２１ａのうちの、底面２１と前壁部１５の壁面２２との近傍部分であれば、たとえば２点鎖線で示した部位であってもよい。
【００３２】
このように、排水口３０が前壁部１５の壁面２２との近傍部分に形成されているため、排水口３０は小便器の使用者にとって死角となりやすく、使用者に対して清潔ですっきりとした印象を与えることができる。
【００３３】
また、排水口３０は底部１３の内部空間に形成された縦排水通路３１に通じている。この縦排水通路３１は排水路内の前後の寸法が下方に向けて徐々に大きくなっており、つまり縦排水通路３１の横断面は排水口３０側よりも下方側が大きく、その下方側を溜め水部（排水トラップ３２）として利用することができる。
【００３４】
このように、この小便器は排水口３０が底面２１の前部に形成されているため、本実施形態のように排水トラップ３２の空間を排水口３０よりも後方の中央部の下方に確保することができ、図４に図示したような薄型の小便器を形成することができる。なお、底面２１の中央部に排水口を設けた従来のものの場合、排水トラップ３２は中央部よりもさらに後部に設けなければならず、本例のものよりも厚くなることは自明である。
【００３５】
また、排水口３０には、その細長形状の長手方向の全長に概ね合致した目皿３３（目皿３３の平面図は不図示）が着脱自在に取り付けられている。図４（ｂ）に示すように、この目皿３３は、底面２１側の長手辺縁が排水口３０の後部側の開口縁３０ａに固定されている。また、目皿３３の他方の長手辺縁は縦排水通路３１内でかつ一方の長手辺縁よりも低い位置に固定されている。つまり、目皿３３は前側に降下傾斜するように取り付けられている。なお、目皿３３の排水口３０への固定の手段は、引っ掛けたり載せ置いたりする程度でもよく、少なくとも洗浄水の流れで外れないものとすることが望ましい。
【００３６】
このように目皿３３を傾斜させて取り付けるようになっているため、スリット状の排水口３０であっても大きめの目皿３３を配することができ、ゴミのせき止め能力を十分に確保することができる。
【００３７】
また、この目皿３３は、図４（ｃ）に示したように、遠隔操作にて上下に動作するようになっている。小便器本体１０には、目皿３３を動作させるための操作部３４および動作機構３５が組みつけられている。操作部３４は前壁部１５に設けてあり、ワイヤ３５ａを含む動作機構３５を介して、目皿３３と連結されている。
【００３８】
このように目皿３３が遠隔操作で上下に動作するので、清掃の際には目皿３３を上方に移動させて楽に取り外しできる。また、目皿３３を上方に大きく持ち上げるようにすれば、目皿３３を取り外すことなく排水口３０近傍を清掃することができる。
【００３９】
つぎに、図５を参照して第３実施形態に係る小便器について説明する。
【００４０】
この小便器は、排水口３０が便器ボウル２０の底面２１の外周部２１ａにおける側部（小便器に向かって右側）に形成されている。水等は図５（ａ）（ｂ）に破線矢印で示すように排水口３０に向けて流れる。図５（ａ）に示した排水口３０は底面２１の外周縁２１ｂに接するように形成されているが、外周部２１ａのうちの、底面２１と前壁部１５の壁面２２との近傍部分であれば、たとえば２点鎖線で示した部位であってもよい。
【００４１】
また、排水口３０は底部１３の内部空間に形成された縦排水通路３１に通じている。この縦排水通路３１は排水路内の左右の間隔が徐々に大きくなっており、つまり縦排水通路３１の横断面は排水口３０側よりも下方側が大きく、その下方側を溜め水部（排水トラップ３２）として利用する構成となっている。
【００４２】
このように、排水口３０が底面２１の側部に形成されているため、排水トラップ３２の空間を排水口３０よりも側方の中央部の下方に確保することができる。このように底部１３の空間における中央部を溜め水部として利用できるから、図４のものと同様、小便器の薄型化を図ることができる。
【００４３】
また、排水口３０には、その細長形状の長手方向の全長に概ね合致した目皿３３（目皿３３の平面図は不図示）が着脱自在に取り付けられている。図５（ｂ）に示した目皿３３を小便器の設置面に平行に設置されているが、第１、第２実施形態に係る小便器のように傾斜状に配設されるものであってもよい。
【００４４】
さらに、この目皿３３は、図５（ｃ）に示したように、遠隔操作にて上下に動作するようになっている。小便器本体１０には、目皿３３を動作させるための操作部３４および動作機構３５が組みつけられている。操作部３４は側壁部１４に設けてあり、ワイヤ３５ａを含む動作機構３５を介して、目皿３３と連結されている。
【００４５】
このように目皿３３が遠隔操作で上下に動作するので、清掃の際には目皿３３を上方に移動させて楽に取り外しできる。また、目皿３３を上方に大きく持ち上げるようにすれば、目皿３３を取り外すことなく排水口３０の近傍を清掃することができる。
【００４６】
ついで、図６（ａ）〜（ｃ）を参照して、その他の実施形態に係る小便器の３例について説明する。
【００４７】
図６（ａ）の小便器は、排水口３０が一方の側部から前部を経由して他方の側部にいたる折曲細長形状のものとなっている。この小便器は、上述した３種の小便器に比べ排水口３０の開口面積が大きいため、排水能力も大きい。また、排水口３０は大きいが前壁部１５により隠されるので、美観が悪くなることはない。なお、底面２１は水等が破線で示すように流れるような傾斜となっている。また、この排水口３０にはその形状に合致した目皿（本例では不図示）を取り付ければよい。
【００４８】
図６（ｂ）の小便器は、図１のものと同様に排水口３０が後部に形成されている。水等の流れは破線矢印に示したとおりである。図６（ｂ）の部分拡大縦断面図に示したように、この排水口３０の下方には傾斜した排水通路３１Ａが形成されている。この傾斜状の排水通路３１Ａは背面部１１の壁面２２から下方に延びている。また、目皿３３は一方の長手辺縁が排水口３０の底面２１側の開口縁３０ａに固定され、他方の長手辺縁が排水通路３１Ａの傾斜面に固定され、概ね垂直状態に取り付けられている。
【００４９】
このような構成であるため、排水口３０の上方からは排水通路３１Ａの傾斜面が見えるが、この傾斜面は簡単に清掃できる。そのため、この排水通路３１Ａの傾斜面を便器ボウル２０の他の面と同様のきれいな状態に維持することができる。そのため、平面視では底面２１と区別なく、違和感もなく、美観を表出することができる。また、目皿３３も目立たない。
【００５０】
図６（ｃ）の小便器は、排水口３０が底面２１と壁面２２との入り隅２３を含む部位に形成されたものである。このようなものによれば底面２１における開口を小さくできるため、平面視では排水口３０が目立たず、排水口３０による美観の低下を防止することができる。また破線で示したように、底面２１を流れる水等も、壁面２２を流れる水等も効率的に排水することができる。
【符号の説明】
【００５１】
１０        小便器本体
１３        底部
１５        前壁部
２０        便器ボウル
２１        底面
２２        壁面
３０        排水口
３０ａ      開口縁
３１        縦排水通路
３２        排水トラップ
３３        目皿
３４        操作部
３５        動作機構
【図１】
0006788865.tif 000002
【図２】
0006788865.tif 000003
【図３】
0006788865.tif 000004
【図４】
0006788865.tif 000005
【図５】
0006788865.tif 000006
【図６】
0006788865.tif 000007